【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
カラー画像を捕獲するためのイメージ・センサーであって、
a）第1の画素群と第2の画素群を有する二次元アレイを備えていて、第1の画素群からの画素は、第2の画素群からの画素よりも分光光応答が狭く、第1の画素群の個々の画素は、少なくとも2つの色のセットに対応する分光光応答を持ち；
b）第1の画素群と第2の画素群の配置が、少なくとも12個の画素を含む最小繰り返し単位を持つあるパターンを規定していて、その最小繰り返し単位は複数のセルを含んでおり、各セルは、第1の画素群の中から選択した特定の1つの色を表わす少なくとも2つの画素と、第2の画素群の中から選択した複数の画素とを持ち、それらの画素が、捕獲したカラー画像を異なる照明条件下で再現できるように配置されているイメージ・センサー。
【請求項２】
上記最小繰り返し単位が少なくとも3つのセルを有する、請求項１に記載のイメージ・センサー。
【請求項３】
上記最小繰り返し単位が少なくとも3つのセルを含んでいて、第1の色の少なくとも1つのセルは、その第1の色の少なくとも2つの画素を持ち、第2の色の少なくとも1つのセルは、その第2の色の少なくとも2つの画素を持ち、第3の色の少なくとも1つのセルは、その第3の色の少なくとも2つの画素を持つ、請求項１に記載のイメージ・センサー。
【請求項４】
第1の色が緑、第2の色が赤、第3の色が青である、請求項３に記載のイメージ・センサー。
【請求項５】
第1の色がシアン、第2の色がマゼンタ、第3の色がイエローである、請求項３に記載のイメージ・センサー。
【請求項６】
上記最小繰り返し単位が少なくとも4つのセルを有する、請求項１に記載のイメージ・センサー。
【請求項７】
上記セルが、少なくとも2つの緑色画素を持つ少なくとも1つの緑色セルと、少なくとも2つの赤色画素を持つ少なくとも1つの赤色セルと、少なくとも2つの青色画素を持つ少なくとも1つの青色セルとを含む、請求項６に記載のイメージ・センサー。
【請求項８】
上記セルが、少なくとも2つの緑色画素をそれぞれが持つ少なくとも2つの緑色セルと、少なくとも2つの赤色画素を持つ少なくとも1つの赤色セルと、少なくとも2つの青色画素を持つ少なくとも1つの青色セルとを含む、請求項６に記載のイメージ・センサー。
【請求項９】
第2の画素群が、最小繰り返し単位の行方向、列方向、斜め方向のいずれかに直線状に配置されている、請求項1に記載のイメージ・センサー。
【請求項１０】
第1の画素群の各カラー画素が、各行と各列において、隣にある同じ色の画素から少なくとも1つの似ていない画素によって隔てられている、請求項９に記載のイメージ・センサー。
【請求項１１】
上記最小繰り返し単位が、
Ｐ  Ｐ  Ｐ  Ｐ  Ｐ  Ｐ  Ｐ  Ｐ
Ａ  Ｂ  Ａ  Ｂ  Ｃ  Ｂ  Ｃ  Ｂ
Ｐ  Ｐ  Ｐ  Ｐ  Ｐ  Ｐ  Ｐ  Ｐ
Ａ  Ｂ  Ａ  Ｂ  Ｃ  Ｂ  Ｃ  Ｂ
である（ただし、Pは第2の画素群を表わし、
Aは第1の画素群の第1の色の画素を表わし、
Bは第1の画素群の第2の色の画素を表わし、
Cは第1の画素群の第3の色の画素を表わす）、請求項１０に記載のイメージ・センサー。
【請求項１２】
A、B、Cが、赤、緑、青の中から個別に選択されるか、又はシアン、マゼンタ、イエローの中から個別に選択される、請求項１１に記載のイメージ・センサー。
【請求項１３】
第1の画素群のカラー画素が、各行と各列において、第2の画素群の少なくとも1つの画素によって隔てられている、請求項９に記載のイメージ・センサー。
【請求項１４】
上記最小繰り返し単位が、
Ｐ  Ｐ  Ｐ  Ｐ  Ｐ  Ｐ  Ｐ  Ｐ
Ａ  Ｐ  Ａ  Ｐ  Ｂ  Ｐ  Ｂ  Ｐ
Ｐ  Ｐ  Ｐ  Ｐ  Ｐ  Ｐ  Ｐ  Ｐ
Ａ  Ｐ  Ａ  Ｐ  Ｂ  Ｐ  Ｂ  Ｐ
Ｐ  Ｐ  Ｐ  Ｐ  Ｐ  Ｐ  Ｐ  Ｐ
Ｂ  Ｐ  Ｂ  Ｐ  Ｃ  Ｐ  Ｃ  Ｐ
Ｐ  Ｐ  Ｐ  Ｐ  Ｐ  Ｐ  Ｐ  Ｐ
Ｂ  Ｐ  Ｂ  Ｐ  Ｃ  Ｐ  Ｃ  Ｐ
である（ただし、Pは第2の画素群を表わし、
Aは第1の画素群の第1の色の画素を表わし、
Bは第1の画素群の第2の色の画素を表わし、
Cは第1の画素群の第3の色の画素を表わす）、請求項１３に記載のイメージ・センサー。
【請求項１５】
A、B、Cが、赤、緑、青の中から個別に選択されるか、又はシアン、マゼンタ、イエローの中から個別に選択される、請求項１４に記載のイメージ・センサー。
【請求項１６】
上記最小繰り返し単位の第1の画素群の同じ複数のカラー画素が、互いに横に並んで直線状に配置されている、請求項1に記載のイメージ・センサー。
【請求項１７】
上記最小繰り返し単位が、
Ｐ  Ｐ  Ｐ  Ｐ
Ａ  Ａ  Ｂ  Ｂ
Ｐ  Ｐ  Ｐ  Ｐ
Ｂ  Ｂ  Ｃ  Ｃ
である（ただし、Pは第2の画素群を表わし、
Aは第1の画素群の第1の色の画素を表わし、
Bは第1の画素群の第2の色の画素を表わし、
Cは第1の画素群の第3の色の画素を表わす）、請求項１６に記載のイメージ・センサー。
【請求項１８】
A、B、Cが、赤、緑、青の中から個別に選択されるか、又はシアン、マゼンタ、イエローの中から個別に選択される、請求項１７に記載のイメージ・センサー。
【請求項１９】
上記最小繰り返し単位が、
Ｐ  Ｐ  Ｐ  Ｐ
Ａ  Ａ  Ｂ  Ｂ
Ｐ  Ｐ  Ｐ  Ｐ
Ｄ  Ｄ  Ｃ  Ｃ
である（ただし、Pは第2の画素群を表わし、
Aは第1の画素群の第1の色の画素を表わし、
Bは第1の画素群の第2の色の画素を表わし、
Cは第1の画素群の第3の色の画素を表わし、
Dは第1の画素群の第4の色の画素を表わす）、請求項１６に記載のイメージ・センサー。
【請求項２０】
A、B、C、Dが、赤、緑、青、第4の色の中から個別に選択されるか、又はシアン、マゼンタ、イエロー、第4の色の中から個別に選択される、請求項１９に記載のイメージ・センサー。
【請求項２１】
上記最小繰り返し単位の第1の画素群の同じ複数のカラー画素が斜め方向の線上に並べて配置され、第2の画素群が斜め方向の線上に並べて配置されている、請求項1に記載のイメージ・センサー。
【請求項２２】
上記最小繰り返し単位が、
Ｐ  Ａ  Ｐ  Ａ  Ｐ  Ｂ  Ｐ  Ｂ
Ａ  Ｐ  Ａ  Ｐ  Ｂ  Ｐ  Ｂ  Ｐ
Ｐ  Ａ  Ｐ  Ａ  Ｐ  Ｂ  Ｐ  Ｂ
Ａ  Ｐ  Ａ  Ｐ  Ｂ  Ｐ  Ｂ  Ｐ
Ｐ  Ｂ  Ｐ  Ｂ  Ｐ  Ｃ  Ｐ  Ｃ
Ｂ  Ｐ  Ｂ  Ｐ  Ｃ  Ｐ  Ｃ  Ｐ
Ｐ  Ｂ  Ｐ  Ｂ  Ｐ  Ｃ  Ｐ  Ｃ
Ｂ  Ｐ  Ｂ  Ｐ  Ｃ  Ｐ  Ｃ  Ｐ
である（ただし、Pは第2の画素群を表わし、
Aは第1の画素群の第1の色の画素を表わし、
Bは第1の画素群の第2の色の画素を表わし、
Cは第1の画素群の第3の色の画素を表わす）、請求項２１に記載のイメージ・センサー。
【請求項２３】
A、B、Cが、赤、緑、青の中から個別に選択されるか、又はシアン、マゼンタ、イエローの中から個別に選択される、請求項２２に記載のイメージ・センサー。
【請求項２４】
上記最小繰り返し単位が、
Ｐ  Ａ  Ｐ  Ａ  Ｐ  Ｂ  Ｐ  Ｂ
Ａ  Ｐ  Ａ  Ｐ  Ｂ  Ｐ  Ｂ  Ｐ
Ｐ  Ａ  Ｐ  Ａ  Ｐ  Ｂ  Ｐ  Ｂ
Ａ  Ｐ  Ａ  Ｐ  Ｂ  Ｐ  Ｂ  Ｐ
Ｐ  Ｄ  Ｐ  Ｄ  Ｐ  Ｃ  Ｐ  Ｃ
Ｄ  Ｐ  Ｄ  Ｐ  Ｃ  Ｐ  Ｃ  Ｐ
Ｐ  Ｄ  Ｐ  Ｄ  Ｐ  Ｃ  Ｐ  Ｃ
Ｄ  Ｐ  Ｄ  Ｐ  Ｃ  Ｐ  Ｃ  Ｐ
である（ただし、Pは第2の画素群を表わし、
Aは第1の画素群の第1の色の画素を表わし、
Bは第1の画素群の第2の色の画素を表わし、
Cは第1の画素群の第3の色の画素を表わし、
Dは第1の画素群の第4の色の画素を表わす）、請求項２１に記載のイメージ・センサー。
【請求項２５】
A、B、C、Dが、赤、緑、青、第4の色の中から個別に選択されるか、又はシアン、マゼンタ、イエロー、第4の色の中から個別に選択される、請求項２４に記載のイメージ・センサー。
【請求項２６】
上記最小繰り返し単位が、
Ｐ  Ａ  Ｐ  Ｂ
Ａ  Ｐ  Ｂ  Ｐ
Ｐ  Ｂ  Ｐ  Ｃ
Ｂ  Ｐ  Ｃ  Ｐ
である（ただし、Pは第2の画素群を表わし、
Aは第1の画素群の第1の色の画素を表わし、
Bは第1の画素群の第2の色の画素を表わし、
Cは第1の画素群の第3の色の画素を表わす）、請求項２１に記載のイメージ・センサー。
【請求項２７】
A、B、Cが、赤、緑、青の中から個別に選択されるか、又はシアン、マゼンタ、イエローの中から個別に選択される、請求項２６に記載のイメージ・センサー。
【請求項２８】
上記最小繰り返し単位が、
Ｐ  Ａ  Ｐ  Ｂ
Ａ  Ｐ  Ｂ  Ｐ
Ｐ  Ｄ  Ｐ  Ｃ
Ｄ  Ｐ  Ｃ  Ｐ
である（ただし、Pは第2の画素群を表わし、
Aは第1の画素群の第1の色の画素を表わし、
Bは第1の画素群の第2の色の画素を表わし、
Cは第1の画素群の第3の色の画素を表わし、
Dは第1の画素群の第4の色の画素を表わす）、請求項２１に記載のイメージ・センサー。
【請求項２９】
A、B、C、Dが、赤、緑、青、第4の色の中から個別に選択されるか、又はシアン、マゼンタ、イエロー、第4の色の中から個別に選択される、請求項２８に記載のイメージ・センサー。
【請求項３０】
上記画像アレイが、アクティブな画素または電荷結合デバイスの画素で構成されている、請求項1に記載のイメージ・センサー。
【請求項３１】
望む色に対応するカラー・フィルタが第1の画素群の各カラー画素に取り付けられている、請求項３０に記載のイメージ・センサー。
【請求項３２】
第2の画素群が、それぞれ中性フィルタを備えている、請求項３０に記載のイメージ・センサー。
【請求項３３】
第2の画素群が、第1の画素群の特定の1つの色の画素よりもサイズが小さい、請求項1に記載のイメージ・センサー。
【請求項３４】
カラー画像を捕獲するイメージ・センサーであって、
a）第1の画素群と第2の画素群を有する二次元アレイを備えていて、第1の画素群からの画素は、第2の画素群からの画素よりも分光光応答が狭く、第1の画素群の個々の画素は、少なくとも2つの色のセットに対応する分光光応答を持ち；
b）第1の画素群と第2の画素群の配置が、少なくとも12個の画素を含む最小繰り返し単位を持つあるパターンを規定していて、その最小繰り返し単位は複数のセルを含んでおり、各セルは、第1の画素群の中から選択した特定の1つの色を表わす少なくとも2つの画素と、第2の画素群の中から選択した複数の画素とを持ち、それらの画素が、捕獲したカラー画像を異なる照明条件下で再現できるように配置されており、これらのセルが低解像度カラー・フィルタ・アレイ画像を規定し、第2の画素群の画像が高解像度パンクロ画像を規定していて、処理を行なうことにより、低解像度カラー・フィルタ・アレイ画像と高解像度パンクロ画像が組み合わされて高解像度画像が生成するイメージ・センサー。